(57)【要約】      （修正有）【課題】防災受信盤のパネル前面に収納されている親通話器にコードにより接続して使用するマイクとイヤホンを備えた通話セットの取り扱いを簡単且つ便利にして通話連絡を取りながら行う作業の作業効率を向上させるトンネル内非常用設備及びコードリールを提供する。【解決手段】防災受信盤１０に設けられた親通話器２６と、トンネル内に設置された通話ジャック端子１６に着脱自在に接続される子通話器２７との間を、通話回線２０を介して通話接続する。防災受信盤１０の前面に開口して形成された通話器収納部には親通話器２６が収納される。親通話器２６に接続されるマイクとイヤホンを備えた通話セットのコードはコードリール３０に巻き付けられる。親通話器収納部に隣接した前面に開口してコードリール収納部が形成され、通話セットのコードが巻かれたコードリール３０が出し入れ自在に収納される。【選択図】図１
2019094694.tif 000002
【特許請求の範囲】
【請求項１】
防災受信盤に設けられた親通話器と、トンネル内に設置された通話端子に着脱自在に接続される子通話器との間を、音声通話回線を介して通話接続するトンネル内非常用設備に於いて、
前記防災受信盤の前面に開口して形成され、前記親通話器を出し入れ自在に収納する親通話器収納部と、
前記親通話器に接続されるマイクとイヤホンを備えた通話セットのコードを巻き付け可能なコードリールと、
前記親通話器収納部に隣接し且つ前面に開口して形成され、前記コードリールが出し入れ自在に収納されるコードリール収納部と、
が設けられたことを特徴とするトンネル内非常用設備。
【請求項２】
請求項１記載のトンネル内非常用設備に於いて、
前記コードリールは、
円筒ドラムと、
前記円筒ドラムの一端に配置されて閉鎖させる閉鎖フランジと、
前記円筒ドラムの他端に配置される開口を備えた開口フランジと、
前記円筒ドラム内の軸方向に起立され、前記円筒ドラムの両側に前記閉鎖フランジと前記開口フランジを挟着固定させると共に、前記円筒ドラム内に位置する軸部に前記通話セットのマイクを係止させる連結軸部材と、
前記閉鎖フランジの外端面に配置されたシート状の磁石部材と、
前記開口フランジの周縁の複数個所に形成されて前記コードを係止させる切欠と、
を備えたことを特徴とするトンネル内非常用設備。
【請求項３】
防災受信盤に形成された通話器の収納部に隣接して形成されたコードリール収納部に出し入れ自在に収納され、前記通話器に接続されるマイクとイヤホンを備えた通話セットのコードを巻き付けるコードリールに於いて、
前記コードを巻き付け可能な円筒ドラムと、
前記円筒ドラムの一端に配置されて閉鎖させる閉鎖フランジと、
前記円筒ドラムの他端に配置される開口を備えた開口フランジと、
前記円筒ドラム内の軸方向に起立され、前記円筒ドラムの両側に前記閉鎖フランジと前記開口フランジを挟着固定させると共に、前記円筒ドラム内に位置する軸部に前記通話セットのマイクを係止させる連結軸部材と、
前記閉鎖フランジの外端面に配置されたシート状の磁石部材と、
前記開口フランジの周縁の複数個所に形成されて前記コードを係止させる切欠と、
を備えたことを特徴とするトンネル内非常用設備。
【発明の詳細な説明】
【技術分野】
【０００１】
本発明は、トンネル内の設備機器側に設けられた子通話器との間で通話連絡をとる防災受信盤に設けられた親通話器のコードをコードリールに巻いて収納するトンネル内非常用設備及びコードリールに関する。
【背景技術】
【０００２】
従来、自動車専用道路等のトンネルには、トンネル内で発生する火災事故から人身及び車両を守るため、非常用設備が設置されている。
【０００３】
このような非常用設備としては、火災の監視と通報のため火災検知器、手動通報装置、非常電話設備が設けられ、また火災の消火や延焼防止のために消火栓装置が設けられ、更にトンネル躯体を火災から防護するために水噴霧ヘッドから消火用水を散水させる水噴霧などが設置され、非常用設備の設備機器を監視センターに設けられた防災受信盤からの伝送回線に接続して監視制御することでトンネル非常用設備を構築している。
【０００４】
また、監視センターの防災受信盤とトンネル内に設置した設備機器との間で点検時等に通話連絡を行う通話設備が設けられている。この通話設備は、防災受信盤の前面パネルに親器として使用する通話器を取り出し自在に収納しており、トンネル内に設置された設備機器、例えば消火栓装置に設けられた通話ジャック端子に、現場担当者が携帯している端末子器として使用する通話器をプラグで接続し、防災受信盤の親通話器とトンネル内の子通話器との間で通話連絡を取りながら設備機器の点検作業を進めている。
【先行技術文献】
【特許文献】
【０００５】
【特許文献１】特開２００８−０５５０２４号公報
【特許文献２】特開２００９−２８５１２６号公報
【発明の概要】
【発明が解決しようとする課題】
【０００６】
ところで、このような従来の防災受信盤で通話器を使用しながら点検等の作業を行う場合には、担当者は点検内容や点検結果をノート等に記録しながら作業を進めており、両手が塞がれていることが多いことから、防災受信盤に収納している通話器にマイクとイヤホンの付いた通話セットをコードにより接続し、ハンドフリーとして通話連絡をとりながら作業を進めている。
【０００７】
しかしながら、通話連絡を必要とする作業を行う場合、担当者は所定の場所、例えば防災受信盤の盤内や盤裏面などに保管している通話セットを取り出して、防災受信盤に配置された通話器に通話セットのコードを接続して使用することになり、また、通話を伴う作業が終了した場合には、通話器から通話セットのコードを外し、元の場所に通話セットを戻して保管させる必要があり、通話連絡に使用する通話セットの保管や取り扱いが煩雑になる問題がある。
【０００８】
この問題を解決するためには、防災受信盤に配置している通話器に、通話セットのコードを接続したままにしておけば良い。しかしながら、通話セットのコードは防災受信盤での作業による動きを可能にするため例えば１メートルから２メートルといった長さが必要であり、通話器に通話セットを接続したままにしていると、防災受信盤の前に通話セットの長いコードが垂れ下がった状態となり、通話器を使用していない場合に邪魔になる問題がある。
【０００９】
本発明は、防災受信盤のパネル前面に収納されている通話器に、コードにより接続して使用するマイクとイヤホンを備えた通話セットの取り扱いを簡単且つ便利にして通話連絡を取りながら行う作業の作業効率を向上させるトンネル内非常用設備及びコードリールを提供することを目的とする。
【課題を解決するための手段】
【００１０】
（トンネル内非常用設備）
本発明は、
防災受信盤に設けられた親通話器と、トンネル内に設置された通話端子に着脱自在に接続される子通話器との間を、音声通話回線を介して通話接続するトンネル内非常用設備に於いて、
防災受信盤の前面に開口して形成され、親通話器を出し入れ自在に収納する親通話器収納部と、
親通話器に接続されるマイクとイヤホンを備えた通話セットのコードを巻き付けられるコードリールと、
親通話器収納部に隣接し且つ前面に開口して形成され、コードリールが出し入れ自在に収納されるコードリール収納部と、
が設けられたことを特徴とする。
【００１１】
（コードリールの構成）
コードリールは、
コードが巻き付けられる円筒ドラムと、
円筒ドラムの一端に配置されて閉鎖させる閉鎖フランジと、
円筒ドラムの他端に配置される開口を備えた開口フランジと、
円筒ドラム内の軸方向に起立され、円筒ドラムの両側に閉鎖フランジと開口フランジを挟着固定させると共に、円筒ドラム内に位置する軸部に通話セットのマイクを係止させる連結軸部材と、
閉鎖フランジの外端面に配置されたシート状の磁石部材と、
開口フランジの周縁の複数個所に形成されてコードを係止させる切欠と、
を備える。
【００１２】
（通話セットのコードリール）
本発明の別の形態にあっては、防災受信盤に形成された通話器の収納部に隣接して形成されたコードリール収納部に出し入れ自在に収納され、通話器に接続されるマイクとイヤホンを備えた通話セットのコードを巻き付けるコードリールに於いて、
コードが巻き付けられる円筒ドラムと、
円筒ドラムの一端に配置されて閉鎖させる閉鎖フランジと、
円筒ドラムの他端に配置される開口を備えた開口フランジと、
円筒ドラム内の軸方向に起立され、円筒ドラムの両側に閉鎖フランジと開口フランジを挟着固定させると共に、円筒ドラム内に位置する軸部に通話セットのマイクを係止させる連結軸部材と、
閉鎖フランジの外端面に配置されたシート状の磁石部材と、
開口フランジの周縁の複数個所に形成されてコードを係止させる切欠と、
を備えたことを特徴とする。
【発明の効果】
【００１３】
（基本的な効果）
（トンネル内非常用設備）
本発明は、防災受信盤に設けられた親通話器と、トンネル内に設置された通話端子に着脱自在に接続される子通話器との間を、音声通話回線を介して通話接続するトンネル内非常用設備に於いて、防災受信盤の前面に開口して形成され、親通話器を出し入れ自在に収納する親通話器収納部と、親通話器に接続されるマイクとイヤホンを備えた通話セットのコードを巻き付けられるコードリールと、親通話器収納部に隣接し且つ前面に開口して形成され、コードリールが出し入れ自在に収納されるコードリール収納部とが設けられたため、防災受信盤に配置されている親通話器に通話セットのコードを接続していても、コードはコードリールに巻かれ、防災受信盤前面の親通話器収納部に隣接したコードリール収納部に収納されており、通話セットのコードが長くとも、コードリールに巻かれて収納されることで、盤前面に長いコードが垂れ下がって邪魔になることはなく、通話セットを別の場所に保管して管理する必要がなくなり、通話連絡を伴う作業の際には、関係者は盤前面からコードリールを取り出して通話セットを装着するだけで良く、作業が終了した場合も、コードをコードリールに巻いて戻すだけで良く、通話連絡を伴う作業を効率良く進めることを可能とする。
【００１４】
（コードリールの構成による効果）
また、コードリールは、コードが巻き付けられる円筒ドラムと、円筒ドラムの一端に配置されて閉鎖させる閉鎖フランジと、円筒ドラムの他端に配置される開口を備えた開口フランジと、円筒ドラム内の軸方向に起立され、円筒ドラムの両側に閉鎖フランジと開口フランジを挟着固定させると共に、円筒ドラム内に位置する軸部に通話セットのマイクを係止させる連結軸部材と、閉鎖フランジの外端面に配置されたシート状の磁石部材と、開口フランジの周縁の複数個所に形成されてコードを係止させる切欠とを備えたため、円筒ドラムにコードを巻き付けた状態で、コード先端の通話セットに設けられているタイピン付きマイクロホンを、タイピンにより内部の連結軸部材の軸部に挟み付けておくことで、コードリールから飛び出すことなく、コードリール収納部に収納可能となる。
【００１５】
また、コードリールに通話セットのマイクロホンが収納されていることで、防災受信盤のコードリール収納部にコードを巻いたコードリールを入れたままで、コードリールのマイクロホンによる通話連絡が可能となる。
【００１６】
また、コードリールの閉鎖フランジの外端面にはシート状の磁石部材が設けられていることから、利用者は、コードリール収納部から取り出したコードリールを、作業を進める際に防災受信盤における盤面の任意の位置に吸着保持させ、そこからコードを引き出して通話セットを装着して作業を効率良く進めることが可能となる。
【図面の簡単な説明】
【００１７】
【図１】トンネル内非常用設備の概要を示した説明図
【図２】防災受信盤の外観を示した説明図
【図３】防災受信盤に収納されているコードリールを示した斜視図
【図４】コードリールを左側面、正面及び右側面で示した説明図
【図５】コードリールの断面構造を示した説明図
【図６】コードリールに通話セットのコードを巻いた状態を示した説明図
【図７】通話セットのコードを巻いたコードリール内にマイクをタイピンで係止した状態を示した説明図
【図８】コードリールにコードを巻いた通話セットを使用した作業の一例を示した説明図
【図９】コードリールにコードを巻いた通話セットを使用した作業の他の例を示した説明図
【発明を実施するための形態】
【００１８】
［トンネル非常用設備の概要］
図１はトンネル内非常用設備の概要を示した説明図である。図１に示すように、高速道路または自動車専用道路のトンネルとして、上り線トンネル１２ａと下り線トンネル１２ｂが構築されており、トンネル内部には、トンネル長手方向に、火災の消火や延焼防止のためにノズル付きホースを収納した消火栓装置１４が５０メートル間隔で設置されている。
【００１９】
また、トンネル内には、消火栓装置１４以外の設備機器として、事故に伴う車両火災を検知する火災検知器や、火災通報のために手動通報装置が設けられ、更にトンネル躯体やダクト内を火災から防護するために水噴霧ヘッドから消火用水を散水させる水噴霧などが設置されるが、図示を省略している。
【００２０】
一方、監視センター等には防災受信盤１０が設置されている。防災受信盤１０には、監視制御に使用するタッチパネル付きの液晶ディスプレイ２２とトンネル側との通話連絡に使用する親通話器２６が設けられており、親通話器２６の下側には、親通話器２６の通話に使用するマイクとイヤホンを備えた通話セットのコードが巻かれたコードリール３０が収納されている。
【００２１】
防災受信盤１０からは上り線トンネル１２ａと下り線トンネル１２ｂに対し伝送路１８ａ，１８ｂが引き出され、トンネル内に設置された消火栓装置１４の設備機器やそれ以外の非常設備の機器が接続されている。
【００２２】
また、防災受信盤１０からは通話回線２０が引き出され、通話回線２０は例えば下り線トンネル１２ｂ及び上り線トンネル１２ａの順に引き回されている。防災受信盤１０側の通話回線２０には親通話器２６が接続され、トンネル内の通話回線２０には、例えば、消火栓装置１６に設けられている通話ジャック端子１６が接続されている。
【００２３】
トンネル内で点検などの作業を行う担当者は、例えば、上り線トンネル１２ａの左端の消火栓装置１４に示すように、携帯している子通話器２７を消火栓装置１４の通話ジャック端子１６に接続することで、防災受信盤１０に設けられた親通話器２６との間での通話連絡が可能となる。なお、親通話器２６と子通話器２７は、同じ通話器であるが、子通話器２７は電池電源で動作する点が相違する。
【００２４】
（防災受信盤の収納構造）
図２は防災受信盤の外観を示した説明図であり、図２（Ａ）に防災受信盤全体を示し、図２（Ｂ）に親通話器とコードリールを収納した部分を拡大して示している。
【００２５】
図２に示すように、防災受信盤１０の前面パネル１１の中央には液晶ディスプレイ２２が配置され、液晶ディスプレイ２２の左側に親通話器収納部２４が前面に開口して形成され、その中に、親通話器２６が収納され、図１に示したように、親通話器２６は通話回線２０に接続されている。
【００２６】
親通話器収納部２４の下側に隣接して前面に開口されたコードリール収納部２８が形成され、その中にコードリール３０が出し入れ自在に収納されている。コードリール３０には、親通話器２６にプラグ接続されたマイクとイヤホンを備えた通話セットのコードが巻かれている。
【００２７】
防災受信盤１０の親通話器２６とトンネル内の子通話器２７との間で通話連絡を取りながら作業を進める場合には、担当員はコードリール３０をコードリール収納部２８から取出して通話セットのコードを引き出し、通話セットのイヤホンを耳にセットすると共に、マイクはタイピンにより顔に近い衣服に留め、この状態で通話連絡を取りながら作業を進めることになる。
【００２８】
［コードリールの構造］
図３は防災受信盤に収納されているコードリールを示した斜視図、図４はコードリールを左側面、正面及び右側面で示した説明図、図５はコードリールの断面構造を示した説明図であり、図５（Ａ）は図４（Ａ）のＸ−Ｘ断面を示し、図５（Ｂ）は図４（Ａ）のＹ−Ｙ断面を示している。
【００２９】
図３及び図４に示すように、コードリール３０は、通話セットのコードを巻く円筒ドラム３２、円筒ドラム３２の右端に配置されて閉鎖させる閉鎖フランジ３４、円筒ドラム３２の左端に配置される開口３８を備えた開口フランジ３６で構成される。
【００３０】
円筒ドラム３２の両側に配置された閉鎖フランジ３４と開口フランジ３６は、図５の断面図に示すように、円筒ドラム３２内の軸方向に起立された２本の連結軸部材４２に対し、外側からビス４４をねじ込むことで、円筒ドラム３２の両側に閉鎖フランジ３４と開口フランジ３６を挟着固定させている。なお、ビス４４の頭部はフランジ面の凹陥部に収納され、フランジ面から飛び出すことはない。
【００３１】
このような円筒ドラム３２に対する閉鎖フランジ３４と開口フランジ３６の組み付け固定により、コードリール３０の内部に、左側の開口３８を備えた収納空間４８が形成される。コードリール３０内の収納空間４８に位置している連結軸部材４２の軸部には、通話セットに設けられたマイクをタイピンにより係止させることで、コードリール３０内の収納空間４８にマイクを保持可能としている。
【００３２】
再び図３及び図４を参照するに、開口フランジ３６の周囲４か所には、円周方向の長穴を中央で外側に開口した形状の切欠４０が形成され、コードリール３０に巻き付けた通話セットのコードを、切欠４０を通すことで掛け止め可能としている。
【００３３】
また、閉鎖フランジ３４の外側端面には、シート状の磁石部材４４が２枚配置されており、図２に示した防災受信盤１０は板金パネルで作られていることから、磁石部材４４によりコードリール３０を防災受信盤１０のパネル面の任意の位置に磁気吸着により保持させることを可能とする。
【００３４】
［コードリールによる通話セットの保持］
図６はコードリールに通話セットのコードを巻いた状態を示した説明図である。図６に示すように、コードリール３０には、親通話器の通話に使用する通話セット５０のコード５２が巻き付けられている。通話セット５０はコード５２の一端にプラグ５４が設けられ、プラグ５４は親通話器に接続されたコードに設けられたジャック端子５６に接続される。なお、プラグ５４を親通話器のジャック端子に直接接続しても良い。
【００３５】
通話セット５０におけるコード５２の他端にはイヤホン６０とマイク６２が接続されている。イヤホン６０はイヤーホルダ５８に取り付けられており、イヤーホルダ５８により係員の耳にイヤホン６０を装着可能としている。マイク６２にはタイピン６４が設けられ、係員の衣服にマイク６２を装着可能としている。
【００３６】
図７は通話セットのコードを巻いたコードリール内にマイクをタイピンで係止した状態を示した説明図である。図７にあっては、マイク６２に設けられたタイピン６４を、図３乃至図５に示したコードリール３０の内部空間４８に位置する連結軸部材４２に挟み付けることで、コードリール３０の内部空間４８にマイク６２を収納して係止させている。
【００３７】
このようにマイク６２をコードリール３２の内部空間に収納して係止させ、更に、コードリール３２にプラグ５４側のコード５２も完全に巻いた状態で、図２に示したように、コードリール３２は防災受信盤１０の前面パネル１１に形成されたコードリール収納部２８に出し入れ自在に収納されることになる。
【００３８】
［コードリールの通話セットを用いた作業］
図８はコードリールにコードを巻いた通話セットを使用した作業の一例を示した説明図である。
【００３９】
図８に示すように、トンネル内の設備機器を点検する際に、防災受信盤１０につく担当者７０は、防災受信盤１０における前面パネル１１に形成されているコードリール収納部２８からコードリール３０を取り出し、コードリール３０に巻かれている通話セットのコード５２を伸ばし、イヤホン６０を耳に装着すると共に、マイク６２を顔に近い衣服などにタイピンにより留める。
【００４０】
このとき、コードリール３０から完全にコード５２を外していない場合には、図４に示した磁石部材４４により前面パネル１１の任意の位置にコードリール３０を吸着させて作業を行う。コードリール３０からコード５２を完全に取出している場合には、前面パネル１１の任意の位置にコードリール３０を吸着固定させるか、コードリール収納部２８に戻しておいても良い。
【００４１】
ここで、親通話器２６は、イヤホン６０とマイク６２を備えた通話セットをコード５２により接続した場合、所謂ＶＯＸ機能（Ｖｏｉｃｅ  Ｏｐｅｒａｔｅｄ  Ｒｅｌｙ）に基づく通話制御が行われる。親通話器２６のＶＯＸ機能は、通話受信から通話送信に切り替えるためのＰＴＴスイッチ（プッシュ・ツー・トーク・スイッチ）を使用することなく、マイクから入力された音声信号を検出すると自動的に送信に切り替わり、音声信号を検出しなくなると自動的に受信に切り替わる機能であり、担当者７０はハンドフリーでトンネル内の子通話器との通話連絡ができる。
【００４２】
また、親通話器２６は、スピーカを備えており、スイッチ切替えによりイヤホンからスピーカへの音声出力に切り替えることができる。
【００４３】
図９はコードリールにコードを巻いた通話セットを使用した作業の他の例を示した説明図である。
【００４４】
図９に示すように、担当者７０は、親通話器２６にコード５２を介して接続されている通話セットのイヤホン６０とマイク６２を装着しておらず、図７に示したように、コードリール３０における内部空間４８の連結軸部材４２にタイピン６４によりマイク６２を係止して収納保持させたまま、コードリール３０を担当者７０の顔に近い前面パネル１１の位置に吸着させており、併せて、親通話器２６をスピーカ出力の動作モードに切り替えている。
【００４５】
このため担当者７０は、防災受信盤１０側の親通話器２６のスピーカ出力による子通話器からの連絡内容を聞き、コードリール３０に収納保持されているマイク６２に向かって話すことで、通話連絡を取ることができ、担当者７０は通話セットの装着による動きの規制を受けることなく、通話連絡を取りながら効率よく作業を進めることが可能となる。
【００４６】
なお、図９にあっては、マイク６２を保持したコードリール３０をコードリール収納部２８から取り出して前面パネル１１に吸着保持させて使用しているが、コードリール収納部２８にマイク６２を保持したコードリール３０を収納したまま、同様にして、通話連絡を行うようにしても良い。
【００４７】
［本発明の変形例］
（通話セット）
上記の実施形態は、イヤホンとマイクを別々に装着可能な通話セットを使用しているが、イヤホンとマイクが一体に設けられたイヤーセットやヘッドセットを用いても良い。
【００４８】
（その他）
また、本発明は、その目的と利点を損なうことのない適宜の変形を含み、更に、上記の実施形態に示した数値による限定は受けない。
【符号の説明】
【００４９】
１０：防災受信盤
１２ａ：上り線トンネル
１２ｂ：下り線トンネル
１４：消火栓装置
１６，５６：通話ジャック端子
１８ａ，１８ｂ：伝送路
２０：通話回線
２２：液晶ディスプレイ
２４：親通話器収納部
２６：親通話器
２７：子通話器
２８：コードリール収納部
３０：コードリール
３２：円筒ドラム
３４：閉鎖フランジ
３６：開口フランジ
３８：開口
４０：切欠
４２：連結軸部材
４４：磁石部材
４６：ビス
４８：内部空間
５０：通話セット
５２：コード
５４：プラグ
５８：イヤーホルダ
６０：イヤホン
６２：マイク
６４：タイピン
【図１】
2019094694.tif 000003
【図２】
2019094694.tif 000004
【図３】
2019094694.tif 000005
【図４】
2019094694.tif 000006
【図５】
2019094694.tif 000007
【図６】
2019094694.tif 000008
【図７】
2019094694.tif 000009
【図８】
2019094694.tif 000010
【図９】
2019094694.tif 000011